(57)【要約】ディジタルメディアプレーヤーを提供する。  ディジタルメディアプレーヤーは、１人または１グループのユーザ（群）がディジタルメディアを簡単にユーザが楽なやりかたで再生することを可能にする。典型的には、メモリカードは、ディジタルメディアプレーヤーによって再生されるべきディジタルメディアを記憶する。メモリカードがディジタルメディアプレーヤーに結合された後、ディジタルメディアプレーヤーは、ディジタルメディアを再生する（例えば見る）か、または操作する（例えばズーム、回転、削除などをする）ことができる。ディジタルメディアプレーヤーは、ディジタルメディアを低減された解像度フォーマットにアーカイブするよう操作することもできる。この低減された解像度フォーマットは、意図された出力デバイスのために適切であり、それでいながらかなり低減されたファイルサイズを有する。
2007518309.tif 000002
【特許請求の範囲】
【請求項１】
ディジタルメディアアイテムを記憶する少なくとも１つの取り外し可能な記憶カードを受け入れる複数のスロットを有するハウジングと、
前記少なくとも１つの取り外し可能な記憶カードから前記ディジタルメディアアイテムにアクセスし、低減された解像度のフォーマットを有するように前記ディジタルメディアアイテムを変更し、前記低減された解像度のフォーマットを有する前記変更されたメディアアイテムを前記少なくとも１つの取り外し可能な記憶カードまたは他の記憶カードに記憶するよう動作可能であるプロセッサと、
を備えるディジタルメディアビューア。
【請求項２】
前記ディジタルメディアアイテムはディジタルイメージである請求項１に記載のディジタルメディアビューア。
【請求項３】
前記ディジタルメディアアイテムは、前記少なくとも１つの取り外し可能な記憶カードにカメラによって以前に記憶された請求項２に記載のディジタルメディアビューア。
【請求項４】
前記少なくとも１つの取り外し可能な記憶カードは、不揮発性半導体データ記憶を提供する請求項１に記載のディジタルメディアビューア。
【請求項５】
前記少なくとも１つの取り外し可能な記憶カードはフラッシュデータ記憶カードである請求項１に記載のディジタルメディアビューア。
【請求項６】
前記少なくとも１つの取り外し可能な記憶カードはメモリカードである請求項１に記載のディジタルメディアビューア。
【請求項７】
前記低減された解像度のフォーマットはユーザ定義可能である請求項１に記載のディジタルメディアビューア。
【請求項８】
前記低減された解像度のフォーマットは実質的にＶＧＡフォーマットである請求項１に記載のディジタルメディアビューア。
【請求項９】
前記ディジタルメディアビューアは、ビデオ信号をディスプレイデバイスに供給することによって、前記変更されたディジタルメディアアイテムが表示されるようにするビデオ出力ポート、をさらに備える請求項１に記載のディジタルメディアビューア。
【請求項１０】
前記低減された解像度のフォーマットは意図されたディスプレイデバイスの解像度に関連する請求項１に記載のディジタルメディアビューア。
【請求項１１】
前記プロセッサは、前記ディジタルメディアアイテムまたは前記変更されたディジタルメディアアイテムにアクセスしてディジタルビデオ出力を作り、
前記ディジタルメディアビューアは、
前記ディジタルビデオ出力を受け取り、アナログビデオディスプレイ信号を作るよう動作可能に接続されたディジタル・アナログ変換器と、
前記アナログビデオディスプレイ信号を出力するビデオ出力ポートと、
をさらに備える請求項１に記載のディジタルメディアビューア。
【請求項１２】
出力される前記ビデオディスプレイ信号は、前記ディジタルメディアアイテムまたは前記変更されたディジタルメディアアイテムを表示するテレビに供給される請求項１１に記載のディジタルメディアビューア。
【請求項１３】
前記プロセッサは、前記ディジタルメディアアイテムまたは前記変更されたディジタルメディアアイテムにアクセスし、それからディジタルビデオ出力を作る請求項１に記載のディジタルメディアビューア。
【請求項１４】
出力される前記ビデオディスプレイ信号はディスプレイデバイスに供給される請求項１１に記載のディジタルメディアビューア。
【請求項１５】
ディジタルメディアアイテムを記憶する少なくとも１つの取り外し可能な記憶カードを受け入れる複数のスロットを有するハウジングと、
前記少なくとも１つの取り外し可能な記憶カードから前記ディジタルメディアアイテムにアクセスし、前記ディジタルメディアアイテムを１人以上の関心のある人に提示する出力信号を作るよう動作可能であるプロセッサと、
を備える専用ディジタルメディアプレーヤー。
【請求項１６】
前記ハウジングの前記スロットの少なくとも１つは、異なるフォーマットを有する取り外し可能な記憶カードを受け入れる請求項１５に記載の専用ディジタルメディアプレーヤー。
【請求項１７】
前記出力信号はアナログビデオ信号である請求項１５に記載の専用ディジタルメディアプレーヤー。
【請求項１８】
前記プロセッサは、前記ディジタルメディアアイテムにアクセスしてディジタルビデオ出力を作り、
前記専用ディジタルメディアプレーヤーは、
前記ディジタルビデオ出力を受け取り、アナログビデオディスプレイ信号を作るよう動作可能に接続されたディジタル・アナログ変換器と、
前記アナログビデオディスプレイ信号を出力するビデオ出力ポートと、
をさらに備える請求項１５に記載の専用ディジタルメディアプレーヤー。
【請求項１９】
出力される前記ビデオディスプレイ信号は、前記ディジタルメディアアイテムを表示するテレビに供給される請求項１８に記載の専用ディジタルメディアプレーヤー。
【請求項２０】
前記プロセッサはさらに、低減された解像度のフォーマットを有するように前記ディジタルメディアアイテムを変更する請求項１５に記載の専用ディジタルメディアプレーヤー。
【請求項２１】
前記プロセッサはさらに、前記低減された解像度のフォーマットを有する前記変更されたディジタルメディアアイテムを前記少なくとも１つの取り外し可能な記憶カードまたは他のカードに記憶する請求項２０に記載の専用ディジタルメディアプレーヤー。
【請求項２２】
前記少なくとも１つの取り外し可能な記憶カードは、不揮発性半導体データ記憶を提供し、
前記スロットは、複数の異なる記憶カードフォーマットをサポートする請求項１５に記載の専用ディジタルメディアプレーヤー。
【請求項２３】
前記ディジタルメディアプレーヤーはさらに、リモートコントローラとの無線通信をサポートする請求項１５に記載の専用ディジタルメディアプレーヤー。
【請求項２４】
メディアアイテムの解像度を、メディアアイテムを見るディスプレイデバイスと見合う
ように低減する方法であって、前記方法は、
高解像度のフォーマットでその上に記憶されるメディアアイテムに関する前記高解像度メディアファイルを有する、第１取り外し可能なメディア記憶カードから高解像度メディアファイルを読み出す工程と、
用いられるべき低減される解像度フォーマットを特定する工程と、
前記高解像度メディアファイルを処理して、前記低減された解像度フォーマットに従った低減された解像度のメディアファイルを作る工程と、
前記低減された解像度のメディアファイルを前記第１取り外し可能な記憶カードまたは第２データ記憶カードに記憶し、それにより前記低減された解像度のメディアファイルによって消費される前記記憶スペースが前記高解像度のメディアファイルによって消費される記憶スペースよりも実質的に小さくなるように記憶する工程と、
を含む方法。
【請求項２５】
前記低減された解像度のメディアファイルによって消費される前記記憶スペースは、前記高解像度のメディアファイルによって消費される記憶スペースの少なくとも１／５である請求項２４に記載の方法。
【請求項２６】
前記低減された解像度のメディアファイルによって消費される前記記憶スペースは、前記高解像度のメディアファイルによって消費される記憶スペースの少なくとも１／１０である請求項２４に記載の方法。
【請求項２７】
前記低減された解像度のメディアファイルによって消費される前記記憶スペースは、前記高解像度のメディアファイルによって消費される記憶スペースの少なくとも１／２０である請求項２４に記載の方法。
【請求項２８】
前記低減された解像度のフォーマットは、前記ディスプレイデバイスによってサポートされる最大解像度にほぼ見合う請求項２４に記載の方法。
【請求項２９】
前記特定する工程は、
ユーザが特定した解像度が設定されているかを決定する工程と、
前記決定する工程が、ユーザが特定した解像度が設定されていると決定するとき、前記ユーザが特定した解像度を前記低減された解像度のフォーマットとして選択する工程と、を含む請求項２４に記載の方法。
【請求項３０】
前記特定する工程はさらに、
前記決定する工程が、ユーザが特定した解像度が設定されていないと決定するとき、デフォールト解像度を前記低減された解像度のフォーマットとして選択する工程、
を含む請求項２９に記載の方法。
【請求項３１】
前記高解像度のメディアファイルおよび前記低減された解像度のメディアファイルは、イメージに関するディジタルファイルである請求項２４に記載の方法。
【請求項３２】
前記低減された解像度のフォーマットは、ほぼＶＧＡ解像度に見合う請求項２４に記載の方法。
【請求項３３】
前記低減された解像度のフォーマットは、ほぼ６４０×４８０の解像度に見合う請求項２４に記載の方法。
【請求項３４】
前記低減された解像度のメディアファイルを前記記憶することは、前記高解像度のメディアファイルを前記低減された解像度のフォーマットで、アーカイブカードとして働く前
記第２データ記憶カード上に記憶する  請求項２４に記載の方法。
【請求項３５】
前記第２データ記憶カードは、取り外し可能データ記憶カードである請求項３４に記載の方法。
【請求項３６】
前記第２データ記憶カードは、取り外し可能データ記憶カードであ請求項２４に記載のる方法。
【請求項３７】
メディアアイテムの解像度を低減するコンピュータプログラムコードを少なくとも含むコンピュータで読み取り可能な媒体であって、前記コンピュータで読み取り可能な媒体は、
第１取り外し可能メディア記憶カードから高解像度メディアファイルを読み出すコンピュータプログラムコードであって、前記第１取り外し可能な記憶カードは、高解像度のフォーマットでその上に記憶されるメディアアイテムに関する前記高解像度メディアファイルを有する、コンピュータプログラムコードと、
用いられるべき低減される解像度フォーマットを特定するコンピュータプログラムコードと、
前記高解像度メディアファイルを処理して、前記低減された解像度フォーマットに従った低減された解像度のメディアファイルを作るコンピュータプログラムコードと、
前記低減された解像度のメディアファイルを前記第１取り外し可能な記憶カードまたは第２データ記憶カードに記憶し、それにより前記低減された解像度のメディアファイルによって消費される前記ストレージスペースが前記高解像度のメディアファイルによって消費されるストレージスペースよりも実質的に小さくなるように記憶するコンピュータプログラムコードと、
を備えるコンピュータで読み取り可能な媒体。
【請求項３８】
請求項３７に記載のコンピュータで読み取り可能な媒体であって、前記メディアアイテムは、イメージであるコンピュータで読み取り可能な媒体。
【発明の詳細な説明】
【技術分野】
【０００１】
本発明は、メディアプレゼンテーションに関し、より具体的にはメモリカード上にメディアを記憶させて促進されたメディアプレゼンテーションに関する。
【背景技術】
【０００２】
メモリカードは、形状が比較的小さいために、非常に携帯が便利である取り外し可能なデータ記憶デバイスである。メモリカードは、カメラ、携帯コンピュータ、セットトップボックス、携帯のまたは他のオーディオプレーヤー／レコーダ（例えばＭＰ３デバイス）、および医療用モニタのようなさまざまな製品（例えば電子製品）と共に用いるために、ディジタルデータを記憶するのにふつう用いられる。メモリカードの例は、フラッシュタイプつまりＥＥＰＲＯＭタイプのメモリセルを用いてデータを記憶するフラッシュカードである。フラッシュカードの大手供給元は、カリフォルニア州、サニーベールのサンディスク社である。
【０００３】
カメラは、対象となる風景および人物のイメージ（すなわちディジタル写真）をユーザが撮影するのに用いられる。近年、ディジタルカメラの人気が出ている。カメラ技術が発展して、カメラの解像度度はますます増長している。例えば、多くの今日のカメラは、３．１メガ画素またはそれ以上の解像度さえ提供できる。そのようなカメラによって得られたディジタル写真は通常はメモリカードに記憶される。今日、そのようなメモリカードの容量は、しばしば１２８または２５６メガバイト（ＭＢ）である。しかし残念ながら、解像度が増すにしたがって、ファイルサイズも増す。３．１メガ画素のカメラで撮影されたイメージについては、ファイルサイズは１ＭＢまたはそれ以上にまでなる。その結果、多くの枚数のディジタル写真を記憶できないために、メモリカードの有用性は制限されてしまう。
【０００４】
加えて、多くの人によって見られるようにディジタル写真を表示することは、ユーザが楽なやりかたではしばしば可能ではない。例えば、ディジタルカメラによって撮られたディジタル写真を見るためにテレビを用いる際には、カメラはテレビのビデオ入力端子に接続されなければならない。このようにしてディジタル写真を見るために必要な要求される接続および機器は、テレビ上で写真を見ることを面倒なものにする。
【発明の開示】
【発明が解決しようとする課題】
【０００５】
よって、メモリカード上へ多数のディジタル写真を記憶するための要求が存在する。またディジタル写真の共有を促進することに対する改良されたアプローチの要求が存在する。
【課題を解決するための手段】
【０００６】
本発明は概してディジタルメディアプレーヤーに関する。ディジタルメディアプレーヤーは、１人または１グループのユーザ（群）がディジタルメディアを簡単にユーザが楽なやりかたで再生することを可能にする。一般的には、メモリカードは、ディジタルメディアプレーヤーによって再生されるべきディジタルメディアを記憶する。メモリカードがディジタルメディアプレーヤーに結合された後、ディジタルメディアプレーヤーは、ディジタルメディアを再生する（例えば見る）か、または操作する（例えばズーム、回転、削除などをする）かができる。ディジタルメディアプレーヤーは、ディジタルメディアを低減された解像度フォーマットにアーカイブに保存するよう操作することもできる。この低減された解像度フォーマットは、意図された出力デバイスのために適切であり、それでいな
がらかなり低減されたファイルサイズを有する。
【０００７】
本発明は、システム、装置、デバイス、方法またはコンピュータで読み取り可能な媒体を含む多くのやり方で実現される。本発明のいくつかの実施形態を以下に説明する。
ディジタルメディアビューアとして、本発明のある実施形態は、少なくとも、少なくとも１つの取り外し可能な記憶カードを受け入れる複数のスロットを有するハウジングおよびプロセッサを含む。少なくとも１つの取り外し可能な記憶カードは、ディジタルメディアアイテムを記憶する。プロセッサは、前記少なくとも１つの取り外し可能な記憶カードから前記ディジタルメディアアイテムにアクセスし、低減された解像度のフォーマットを有するように前記ディジタルメディアアイテムを変更し、前記低減された解像度のフォーマットを有する前記変更されたメディアアイテムを前記少なくとも１つの取り外し可能な記憶カードまたは他の記憶カードに記憶する。
【０００８】
専用ディジタルメディアプレーヤーとして、本発明のある実施形態は少なくとも、少なくとも１つの取り外し可能な記憶カードを受け入れる複数のスロットを有するハウジング、およびプロセッサを含む。少なくとも１つの取り外し可能な記憶カードは、ディジタルメディアアイテムを記憶する。プロセッサは、前記少なくとも１つの取り外し可能な記憶カードから前記ディジタルメディアアイテムにアクセスし、前記ディジタルメディアアイテムを１人以上の関心のある人に提示する出力信号を作る。
【０００９】
メディアアイテムの解像度を、メディアアイテムを見るディスプレイデバイスと見合うように低減する方法として、本発明のある実施形態は少なくとも、第１取り外し可能な記憶カードから高解像度メディアファイルを読み出すことであって、前記第１取り外し可能な記憶カードは、高解像度のフォーマットでその上に記憶されるメディアアイテムに関する前記高解像度メディアファイルを有する、読み出すこと、用いられるべき低減される解像度フォーマットを特定すること、前記高解像度メディアファイルを処理して、前記低減された解像度フォーマットに従った低減された解像度のメディアファイルを作ること、および前記低減された解像度のメディアファイルを前記第１取り外し可能な記憶カードまたは第２データ記憶カードに記憶し、それにより前記低減された解像度のメディアファイルによって消費される前記ストレージスペースが前記高解像度のメディアファイルによって消費される記憶スペースよりも実質的に小さくなるように記憶することを含む。
【００１０】
メディアアイテムの解像度を低減するコンピュータプログラムコードを少なくとも含むコンピュータで読み取り可能な媒体として、本発明のある実施形態は少なくとも、第１取り外し可能な記憶カードから高解像度メディアファイルを読み出すコンピュータプログラムコードであって、前記第１取り外し可能な記憶カードは、高解像度のフォーマットでその上に記憶されるメディアアイテムに関する前記高解像度メディアファイルを有する、コンピュータプログラムコード、用いられるべき低減される解像度フォーマットを特定するコンピュータプログラムコード、前記高解像度メディアファイルを処理して、前記低減された解像度フォーマットに従った低減された解像度のメディアファイルを作るコンピュータプログラムコード、および前記低減された解像度のメディアファイルを前記第１取り外し可能な記憶カードまたは第２データ記憶カードに記憶し、それにより前記低減された解像度のメディアファイルによって消費される前記記憶スペースが前記高解像度のメディアファイルによって消費される記憶スペースよりも実質的に小さくなるように記憶するコンピュータプログラムコードを含む。
【００１１】
本発明の他の局面および優位性は、添付の図面と併せて以下の詳細な説明から明らかになろう。図面は例示的に本発明の原理を示す。
【発明を実施するための最良の形態】
【００１２】
本発明は、添付の図面と併せて以下の詳細な説明によって容易に理解されよう。ここで同様の参照番号は同様の要素を示す。
本発明は、ディジタルメディアプレーヤーに関する。ディジタルメディアプレーヤーは、１人または１グループのユーザ（群）がディジタルメディアを簡単にユーザが楽なやりかたで再生することを可能にしえる。典型的には、メモリカードは、ディジタルメディアプレーヤーによって再生されるべきディジタルメディアを記憶する。メモリカードがディジタルメディアプレーヤーに結合された後、ディジタルメディアプレーヤーは、ディジタルメディアを再生する（例えば見る）か、または操作する（例えばズーム、回転、削除などをする）かができる。ディジタルメディアプレーヤーは、ディジタルメディアを低減された解像度フォーマットにアーカイブするよう操作することもできる。この低減された解像度フォーマットは、意図された出力デバイスのために適切であり、それでいながらかなり低減されたファイルサイズを有する。
【００１３】
ここで用いられるように、メモリカードは、カード状の構成物を含む（メモリスティックを含む）。メモリカードに記憶され、ディジタルメディアビューアに利用可能にされたディジタルメディアは、１つ以上のメディアアイテムに関しえる。例えば、メディアアイテムは、画像（例えば写真）、オーディオまたはビデオに関する。
【００１４】
本発明のこの局面の実施形態が以下に図１〜６を参照して説明される。しかし、当業者には、ここで与えられたこれら図についての詳細な説明は例示目的であり、本発明は、これらの限定された実施形態を超えて外縁が延びることが容易に理解されよう。
【００１５】
図１は、本発明のある実施形態によるメディアプレゼンテーションシステム１００の概観図である。メディアプレゼンテーションシステム１００は、ディジタルメディアビューア１０２を含む。ディジタルメディアビューア１０２はハウジング１０３を有する。ハウジング１０３は、それぞれデータ記憶カードを受け入れることができる第１スロット１０４および第２スロット１０６を有する。例えば、図１に示されるように、第１スロット１０４は、第１取り外し可能な記憶カード１０８を受け入れることができ、第２スロット１０６は、第２取り外し可能な記憶カード１１０を受け入れることができる。第１取り外し可能な記憶カード１０８および／または第２取り外し可能な記憶カード１１０は、メディアアイテム、つまりメディアアイテムのためのメディアファイルを記憶するのに用いられる。より一般にはハウジング１０３は、１つ以上のスロットを提供しえ、それぞれのスロットは、１つ以上の異なるカードフォーマットを受け入れることができる。
【００１６】
ある実現例において、メディアアイテムは、イメージファイル群内に含まれるイメージ群（すなわち写真群）である。ディジタルメディアビューア１０２は、第１取り外し可能な記憶カード１０８および第２取り外し可能な記憶カード１１０のいずれかまたは両方からイメージを読みだしえ、それから１つ以上のイメージをディスプレイデバイス１１２に示しえる。例えば、ディスプレイデバイス１１２は、テレビ受像機または液晶ディスプレイ（ＬＣＤ）プロジェクタでありえる。
【００１７】
図１に示されるように、カメラ１１４は、イメージ（すなわち写真）に関するイメージファイルを撮影し、それらを第１取り外し可能な記憶カード１０８に記憶するのに用いられえ、一方、第１取り外し可能な記憶カード１０８は、カメラ１１４のスロットに挿入される。それから、カメラ１１４を用いて撮影された結果として生じる写真をユーザが見たいとき、第１取り外し可能な記憶カード１０８は、カメラ１１４のスロットから取り外され、ディジタルメディアビューア１０２の第１スロット１０４に挿入される。その後、ディジタルメディアビューア１０２が電源がオンにされ、第２取り外し可能な記憶カード１１０が第２スロット１０６に挿入されると想定すると、第１取り外し可能な記憶カード１０８に記憶された１つ以上のイメージファイルは、ディジタルメディアビューア１０２に
よって読み出され、それから低減された解像度フォーマットに変換され、第２取り外し可能な記憶カード１１０上に記憶されえる。換言すれば、カメラ１１４によって撮影され、第１取り外し可能な記憶カード１０８に記憶された１つ以上のイメージは、低減された解像度フォーマットに変換されえ、それから第２取り外し可能な記憶カード１１０に記憶されえる。実質的に、イメージ群は、低減された解像度フォーマットで第２取り外し可能な記憶カード１１０上にアーカイブされる。その結果、第２取り外し可能な記憶カード１１０は、多くのイメージファイルを記憶することができる。例として、高解像度イメージのファイルサイズは、しばしば１メガバイト（ＭＢ）以上であるが、一方、低減された解像度では、ファイルサイズは、約５０キロバイト（ＫＢ）のオーダーでありえ、これは少なくとも２０分の１の小ささである。このようなファイルサイズ（すなわち５０ＫＢ）では、６４ＭＢのリムーバブルデータ記憶カードは、千二百（１２００）枚以上の写真を保持できるだろう。しかし、低減された解像度のイメージのファイルサイズは、低減された解像度フォーマットによって変化する。したがって、異なる実施形態または構成においては、低減された解像度のイメージのファイルサイズは、例えば、少なくとも５分の１、１０分の１、または２０分の１の小ささである。
【００１８】
さらに、第２取り外し可能な記憶カード１１０からのイメージファイルの後に続く取り出し、およびそれらからの低減された解像度フォーマットのイメージの表示は、不利益にはならず、これは低減された解像度は、ディスプレイデバイス１１２によってサポートされる最大解像度に典型的には近いか、またはそれより大きいからである。例えば、ディスプレイデバイス１１２が標準的なテレビの場合、低減された解像度フォーマットは、６４０×４８０の解像度を表すＶＧＡフォーマットを用いえる。テレビ放送フレームの典型的な対応する解像度は、５２８×５７６（ＰＡＬ）および５２８×４８０（ＮＴＳＣ）のオーダーである。したがって、高解像度イメージおよび低解像度イメージの両方は、ディスプレイデバイス１１２上で同じように効果的に表示される。しかし、それらのより小さなサイズのために、低解像度イメージは、高解像度イメージよりもずっと速くロード（および表示）されえる。
【００１９】
メディアプレゼンテーションシステム１００は、ディジタルメディアビューア１０２と対話するためにリモートコントローラ１１６も用いることができる。リモートコントローラ１１６とのユーザ対話を通して、ユーザは、ディジタルメディアビューア１０２が、低減された解像度のメディアアイテム（例えばイメージ）を含むファイルを第１取り外し可能な記憶カード１０８または第２取り外し可能な記憶カード１１０のいずれかに記憶するようリクエストできる。さらに、リモートコントローラ１１６のユーザは、ディジタルメディアビューア１０２と対話することで、イメージ（すなわち写真）が表示されるようにでき、いったん表示されたら、ユーザは特定のイメージの表示をナビゲートでき、そのイメージが編集され、回転され、ズームされ（ズームインまたはズームアウト）、消去され、などがされるようにできる。
【００２０】
図１において、第１スロット１０４および第２スロット１０６は、ディジタルメディアビューア１０２に関連するハウジング１０３の共通な表面上に提供された。しかし、第２スロット１０６（典型的には取り外し可能な記憶カード１１０を受け取り、低減された解像度にフォーマットされたメディアアイテムを受け取る）は、ディジタルメディアビューア１０２のハウジングのより目立たない部分にも提供されえることに注意されたい。例えば、第２スロット１０６は、ディジタルメディアビューア１０２のハウジングの背面、後面、側面または露出されない表面上に配置されえる。この点で、第２スロット１０６は、アーカイブ型のやり方で多くのメディアアイテム（例えばイメージ）を保持する取り外し可能な記憶カード１１０を保持し、それによってそれらがディスプレイデバイス１１２上で見られるようにする。場合によっては、取り外し可能な記憶カードは、常駐のアーカイブ記憶を提供するように第２スロット内に通常は維持される（すなわち保持される）よう
想定される。
【００２１】
さらに、低減された解像度を持つメディアアイテムを保持するデータ記憶は、代替として、ディジタルメディアビューア１０２の非リムーバブルデータ記憶であってもよい。この非リムーバブルデータ記憶は、ハウジング１０３の内部のデータ記憶でありえる。例えば、データ記憶は、ハウジング１０３の内部の不揮発性メモリ（例えば、ＦＬＡＳＨメモリ）でありえる。
【００２２】
前述のように、メモリカードは、比較的小さいフォームファクタを有しえ、カメラ、ハンドヘルドまたはノートブックコンピュータ、ネットワークカード、ネットワーク機器、セットトップボックス、ハンドヘルドまたはその他小型オーディオプレーヤー／レコーダ（例えばＭＰ３デバイス）、および医療用モニタのような電子製品のためのディジタルデータを記憶するのに用いられえる。メモリカードの例は、ＰＣカード（以前のＰＣＭＣＩＡデバイス）、フラッシュカード（例えばコンパクトフラッシュ（登録商標）タイプＩおよびＩＩ）、セキュアディジタル（ＳＤ）カード、マルチメディアカード（ＭＭＣ）、ＡＴＡカード（例えばコンパクトフラッシュカード）、メモリスティック、スマートメディアカード、およびｘ−Ｄピクチャカードを含む。例として、メモリカードは、フラッシュタイプまたはＥＥＰＲＯＭタイプのメモリセルを用いて、データを記憶しえる。
【００２３】
ある実施形態において、ディジタルメディアビューア１０２のためのリモートコントローラ１１６は、イメージをアーカイブするためにリモートコントロール上に専用のボタン（例えばＳＴＯＲＥボタン）を含みえる。高解像度のイメージが表示されているか、またはサムネイルまたはイメージファイルネームが（プリ）セレクトされている（スクリーン上でハイライトされている）ときで、かつユーザがリモートコントローラ上（またはディジタルメディアプレーヤーそのもの、またはオンスクリーンメニューオプションとして）のＳＴＯＲＥボタンを押すとき、高解像度のイメージは、もしまだなされていなければメモリ（例えばＲＡＭ）中にロードされ、サイズ変更／ストレージ設定に従ってサイズ変更される。その後、低減された解像度イメージは、記憶設定（例えばデスティネーションメモリカード（カードスロット）または組み込みメモリ、（サブ）フォルダ位置、およびファイル名）に従って記憶される。例えば、もし宛先がディジタルメディアビューアの背面スロットに挿入されたメモリカードであるなら、フォルダに名前が付けられえ、またはイメージが作られたときの日付が特定され（例えばイメージファイル中のタイムスタンプから取り出され）、その名前はそのイメージが作られた時間である。例として、イメージは、フォルダ<month><day><year>（例えば２００３年７月１１日）内に名前「<hour>:<minute>」（例えば１４：４９または２：４９ｐｍ）と共に記憶されえる。そのようなフォル
ダは、処理されたイメージ（群）を受け取るために、メモリカード上にオンザフライで作られえる。その後、ユーザは、ユーザインタフェースおよびリモートコントローラ上の、またはディジタルメディアビューアそれ自身のボタンを通じて、イメージをリネームおよびリオーガナイズできる。
【００２４】
ディジタルメディアビューアのさらなる実施形態は、他の特徴も促進できる。ある他の特徴は、ディジタルカメラが接続され、ディジタルメディアビューアと対話できる機能である。ここで、ディジタルカメラによって撮影された大きなイメージファイルは、より小さなバージョンにサイズが変更される。そのような実施形態において、ディジタルメディアプレーヤーは、データ接続がディジタルカメラとなされるようにデータポート（およびおそらくはホスト機能）を有する。例えば、データポートは、ファイヤワイヤ、ＵＳＢ、シリアルポートなどの上でありえる。ディジタルカメラおよびディスプレイデバイスをディジタルメディアプレーヤーに接続することによって、ユーザは、ディジタルカメラに記憶されたイメージにアクセスし、それらを、ディジタルメディアプレーヤーを通じてサイズ変更できる。実質的に、ディジタルカメラは、ディジタルメディアプレーヤーの外部ス
ロット中のカードであるかのように扱われえる。サイズ変更されたイメージは、ディジタルメディアプレーヤー中に挿入されたカードの１つ上に、またはディジタルメディアプレーヤー内に組み込まれたメモリ上に記憶されえる。代替として、サイズ変更されたイメージは、メモリカードまたはディジタルカメラの組み込まれたメモリに記憶されえる。この場合、ディジタルメディアプレーヤーは、メモリカードのためのスロットを持たず、組み込まれたメモリを必要としない、専用の「サイズ変更」デバイスでありえる。代替として、イメージは、ディジタルカメラをディジタルメディアプレーヤーに直接に接続することによってアクセスされるので、ディジタルメディアプレーヤーは、組み込まれたメモリだけを有し、カードスロットを持たなくてもよい。ここで、ディジタルメディアプレーヤーは、データ転送のための専用の接続、およびディジタルメディアプレーヤーとの対話のあいだバッテリおよびディジタルカメラを再充電する電源を持つドッキングステーションとして働きえる。
【００２５】
上記実施形態の任意のものにおいて、ユーザは、ソースカード／組み込まれたメモリ上に、オリジナルのファイルと置き換わる、または新しいサイズ変更されたファイルであるファイルを記憶しえる。
【００２６】
ディジタルメディアビューアの他の特徴は、それがテレビのような別個のディスプレイデバイスと接続する必要がないことである。ディジタルメディアプレーヤーは、それ自身のディスプレイデバイス（例えばＬＣＤスクリーン）を含みえる。代替として、リモートコントローラがディスプレイスクリーンを含みえる。
【００２７】
プレーヤー上および／またはリモートコントロール上のボタンによって、ユーザは、ファイル（イメージ、ビデオクリップ、オーディオファイルを含む）にアクセスでき、そのコンテンツをテレビまたはプロジェクタ、またはオーディオシステムのようなディスプレイデバイス上に示すためにディジタルメディアプレーヤーを操作できる。ディジタルカメラ中のメモリから直接にイメージをサイズ変更することに関する上述の機能について、もしディジタルメディアプレーヤーがＬＣＤスクリーンを有するなら、ディジタルメディアプレーヤーをテレビに接続する必要はない。よってディジタルメディアプレーヤーは、電池駆動されてもよく、またはその電源をＵＳＢまたはファイヤワイヤのようなデータポートを通じて得てもよい。
【００２８】
他の特徴は、ディジタルメディアプレーヤーは、データポートを介してのようなパーソナルコンピュータと接続できることである。ＰＣは、ディジタルメディアプレーヤーに挿入されたメモリカード（アーカイブカード）からアーカイブ記憶されたイメージを獲得し、それからその記憶ドライブ（例えばハードドライブまたはＣＤドライブ）上にそれらイメージのコピーをバックアップコピーとして（高または低減された解像度において）記憶できる。
【００２９】
複数のスロットを持つディジタルメディアビューアのさらに他の特徴は、それがカードからカードへのメディアファイルのコピーを促進することである。「ＣＯＰＹ」ボタンをディジタルメディアプレーヤー、そのリモートコントローラに追加するか、またはオンスクリーンメニューを介して、カード全体の内容を他のカードにコピーする（内容とは独立して）操作が実行されえる。例えば、「ＣＯＰＹ」ボタンを押すこと、またはオンスクリーンメニューからその機能を選択することの後、ユーザは、ソーススロット／カード、デスティネーションスロット／カードを選択し、それからプロセスを開始できる。他の例として、イメージがフルスクリーンで表示されているとき、ユーザは、個別のイメージを「ＣＯＰＹ」ボタンを押すことによって選択できる。メニューがそれからポップアップし、それによりユーザは、デスティネーションカード／スロット（もし存在するなら、組み込まれたメモリ、またはデータ接続を介して接続された記憶媒体でありえる。）を選択でき
る。
【００３０】
図２は、本発明のある実施形態によるディジタルメディアビューア２００のブロック図である。ディジタルメディアビューア２００は例えば、図１に示されるディジタルメディアビューア１０２として用いるのに適するある実現例である。
【００３１】
ディジタルメディアビューア２００は、第１カードポートＡ２０２および第２カードポートＢ２０４を含む。カードポートＡ２０２は、図１に示される第１スロット１０４に対応し、カードポートＢ２０４は、図１に示される第２スロット１０６に対応する。ディジタルメディアビューア２００は、メディアプロセッサ２０６、読み出し専用メモリ（ＲＯＭ）２０８、およびランダムアクセスメモリ（ＲＡＭ）２１０も含む。ＲＯＭ２０８およびＲＡＭ２１０は、外部において提供されえ（示されるように）、またはメディアプロセッサ２０６に一体化して提供されえる。ＲＯＭ２０８は典型的には、メディアプロセッサ２０６によって実行されるプログラムコードを記憶する。ＲＡＭ２１０は、メディアプロセッサ２０６のための一時データ記憶を提供する。後で詳述されるように、メディアプロセッサ２０６は、メディアファイルをカードポート２０２および２０４のいずれかから受け取りえ、ディジタル・アナログ変換器２１２にディジタルビデオ信号を出力しえる。ディジタル・アナログ変換器２１２の出力は、図１に示されるディスプレイデバイス１１２のようなディスプレイデバイスに提供されるオーディオ／ビデオ信号である。このオーディオ／ビデオ信号は、多くの異なるフォーマットのうちに任意のものでありえる（例えばＳビデオ、コンポーネントビデオおよびＣＶＢＳ）。
【００３２】
加えて、メディアプロセッサ２０６は、高解像度のメディアファイルを低減された解像度のメディアファイルに変換しえる。典型的には、メディアプロセッサ２０６は、高解像度のメディアアイテムをカードポートＡ２０２またはカードポートＢ２０４のいずれかに結合されたデータ記憶カードから読み出し、メディアアイテムを低減された解像度のメディアアイテムに処理し、それから低減された解像度のメディアアイテムをカードポートＡ２０２またはカードポートＢ２０４のいずれかに戻して記憶する。代替として、ディジタルメディアビューア２００は、低減された解像度のメディアアイテムが記憶されえる内部不揮発性メモリ２１４を含みえる。
【００３３】
したがって、メディアプロセッサ２０６の制御の下で、ディジタルメディアビューア２００は、解像度低減およびメディアプレゼンテーションを行う操作を実行する。この点で、メディアプロセッサ２０６は、解像度低減およびメディアプレゼンテーションに対応すると考えられえるプログラムコードを実行する。メディアプロセッサ２０６は、グラフィックプロセッサでありえるが、他の実施形態においては、マルチメディアまたはオーディオ／ビデオプロセッサでありえる。
【００３４】
図２に示されるディジタルメディアビューア２００は、代替の実施形態においてはディジタル・アナログ変換器２１２を含み、ディジタルメディアビューアはディジタルビデオをディスプレイデバイスに出力できる。ディジタルビデオ出力は、ファイヤワイヤ、ＵＳＢ、ＤＶＩ、ＳＰＤＩＦ（光）のような多くの異なる接続の任意のものを介して供給されえる。
【００３５】
図３は、本発明のある実施形態によるプログラムコードのモジュールを示す。ある実施形態によればプログラムコード３００は、解像度変換モジュール３０２およびメディアプレゼンテーションモジュール３０４を含む。解像度変換モジュール３０２は、１つ以上のメディアファイル（例えばイメージファイル）の解像度を低減するときにメディアプロセッサ２０６によって利用されるプログラムコードに関する。メディアプレゼンテーションモジュール３０４は、メディア（例えばイメージ）をディスプレイデバイス上に表示する
ためにメディアプロセッサ２０６によって利用されるプログラムコードを表す。
【００３６】
図４Ａは、本発明のある実施形態による解像度低減プロセス４００のフロー図である。解像度低減プロセス４００は、例えば、解像度変換モジュール３０２に関連する処理であり、より一般には、図２に示されるメディアプロセッサ２０６によって実行される処理である。
【００３７】
解像度低減プロセス４００は、まず高解像度のメディアファイルを第１リムーバブルメディアストレージカードから読み出す（４０２）。それから、用いられるべき低減された解像度のフォーマットが特定される（４０４）。ここで低減された解像度のフォーマットは、ユーザ選択、ユーザ設定、またはデフォールトによって提供されえる。
【００３８】
ユーザは、低減された解像度フォーマットのために、３２０×２４０、６４０×４８０、８００×６００、１０２４×７６８、１２８０×７２０、または１９２０×１０８０のようなさまざまな異なる解像度から選択できる。加えて、解像度選択は、ユーザの参考になるよう、メガバイト当たり１０イメージ、またはメモリカード当たり千二百（１２００）イメージのような、メディアアイテムについてファイルサイズまたは記憶容量への影響の推定を特定しえる。
【００３９】
もしユーザ選択が存在しないなら、ユーザ設定は、解像度を選ぶように用いられえる。もしユーザ選択または解像度についての設定が存在しないなら、デフォールトの解像度が利用されえる。
【００４０】
次に、高解像度メディアファイルは、低減された解像度のフォーマットに従って低減された解像度のメディアファイルを作るように処理される（４０６）。例えば、高解像度メディアファイルは、２０４８×１５３６解像度のオーダーでありえ、これは３．１メガ画素のカメラによって撮られた写真を表す。低減された解像度のフォーマットは、６４０×４８０の解像度のようなＶＧＡフォーマットでありえる。したがって、解像度変換をすることによって、メディアファイルのサイズは、約２０分の１に劇的に低減される。その後、低減された解像度のメディアファイルは、第１取り外し可能な記憶カードまたは第２取り外し可能な記憶カードに記憶される（４０８）。ブロック４０８に続いて、解像度低減プロセス４００は完了し終了する。
【００４１】
代替の実施形態において、メディアファイルのサイズは、低減された圧縮比および／または低減された色深度を選択するか、または課すオプションを提供することによって、さらに低減されえる。低減圧縮比および／または低減色深度は、低減解像度と共に用いられえるが、これらの技術は別個に課されてもよいことが理解されよう。
【００４２】
他の代替の実施形態において、低減された解像度メディアファイルは、不揮発性データ記憶デバイスに記憶されえる（４０８）。不揮発性データ記憶デバイスは、第１取り外し可能な記憶カード、第２取り外し可能な記憶カード、またはディジタルメディアビューアの内部のメモリチップでありえる。
【００４３】
図４Ｂは、本発明のある実施形態による他の解像度低減プロセスのデータフロー図である。データフロープロセスは、コード化および圧縮されたイメージで始まる（４５０）。コード化および圧縮されたイメージは、非圧縮化（uncompressed）され、コード化および伸長されたイメージを得る（４５２）。それから、ディジタル／アナログ変換に続いて、アナログイメージ信号が生じる（４５４）。アナログイメージ信号４５４は、それからディスプレイに出力されえる（４５６）。代替として、イメージがサイズ変更および記憶されるとき、コード化および伸長されたイメージは、解像度および／または色深度が低減さ
れる（４５８）。低減された解像度／色深度のイメージは、それから圧縮／エンコードされ、コード化および圧縮されたイメージ４６０を生む。コード化および圧縮されたイメージ４６０は、メモリカードまたは組み込まれたメモリ上に記憶されえる（４６２）低減されたサイズのイメージである。その後、低減されたサイズのイメージが記憶された（４６２）後、ブロック４５０〜４５６は、イメージが表示されるようにしえる。
【００４４】
図５は、本発明のある実施形態によるイメージアーカイブプロセス５００のフロー図である。イメージアーカイブプロセス５００は、例えば、解像度変換モジュール３０２および／またはメディアプロセッサ２０６に関連する処理である。
【００４５】
イメージアーカイブプロセス５００は、アーカイブリクエストが受け取られたかを決定する判断５０２で始まる。アーカイブリクエストは、イメージをリムーバブルデータ記憶カード上にアーカイブしたいユーザによって提供されえる。アーカイブリクエストが受け取られていないと判定５０２が決定するとき、イメージアーカイブプロセス５００は単にそのようなリクエストを待つ。
【００４６】
いったん判定５０２が、アーカイブリクエストが受け取られたと決定すると、判定５０４は、ソースカードが存在するかを決定する。ここで、アーカイブリクエストは、黙示的または明示的にソースカード、ターゲットカードおよびターゲット解像度を特定しえる。判定５０４が、ソースカードが存在しないと決定するとき、イメージアーカイブプロセス５００は判定５０２を繰り返すために戻るが、これは高解像度イメージを有するソースカードが利用可能になるまで、処理が実行できないためである。一方、判定５０４が、ソースカードが存在すると決定するとき、ソースカードからの高解像度イメージが読み出される（５０６）。次に、高解像度イメージは、低減された解像度のイメージに変換される（５０８）。ここで、低減された解像度のイメージへのこの変換は、アーカイブリクエストと共に提供される低減解像度に基づく。
【００４７】
ブロック５０８に続いて、判定５１０は、ターゲットカードが存在するかを決定する。このターゲットカードは、低減された解像度のイメージを記憶するべきリムーバブルデータ記憶カードである。したがって、判定５１０は、低減された解像度のイメージをその上に記憶させるためにターゲットカードが利用可能であるかを決定する。判定５１０が、ターゲットカードが存在しないと決定するとき、イメージアーカイブプロセス５００は、その到着を待つ。所望であれば、イメージアーカイブプロセス５００は、利用可能になるようターゲットカードを挿入するようにユーザに対してさらにプロンプトできる。一方、判定５１０が、ターゲットカードが存在すると決定するとき、低減された解像度のイメージはターゲットカードに記憶される（５１２）。ブロック５１２に続いて、イメージアーカイブプロセス５００は、ターゲットカード上にアーカイブされているイメージファイルと共に完了する。
【００４８】
代替の実施形態において、アーカイブリクエストは、ターゲット解像度を特定することを必要としないが、その代わりにディスプレイまたはプレゼンテーションデバイスを特定する。そのような場合、ターゲット解像度は、選択されたディスプレイまたはプレゼンテーションデバイスの最大解像度に基づいて決定されえる。
【００４９】
ターゲットカードは、専用のメモリカードでありえる。例えば、そのような専用のメモリカードは、他のスロットとは異なる、ディジタルメディアビューアのハウジングの背面、後面または側面上にあるような別個のスロットにおいてユーザアクセス可能でありえる。しかし、ターゲットカードは、ソースカード、標準スロットにおける他のメモリカード、またはディジタルフォトビューア内に組み込まれた不揮発性（例えばフラッシュ）メモリチップであってもよい。イメージは、JPEG、GIF、TIFF、PNG、RAW、およびBMPのような
さまざまなフォーマットでありえる。典型的には、デフォールトフォーマットが利用されえるが、ユーザは所望であれば異なるフォーマットを選択できる。
【００５０】
メディアアイテムは、セレクション毎に、ディレクトリ毎に、またはカード毎にターゲットカード上にアーカイブされえる。ある実施形態において、メディアアイテムがターゲットカードに記憶されるとき、メディアアイテムはディレクトリ内に配置されえる。これらアーカイブディレクトリは、日付、写真番号またはユーザ入力に基づいてデフォールトの名前を有しえる。アーカイブディレクトリはまた、ディレクトリ中のイメージ群（すなわち写真群）のうちの１つに関するサムネイル画像によって表されえる。
【００５１】
図６は、本発明のある実施形態によるメディアプレゼンテーションプロセス６００のフロー図である。メディアプレゼンテーションプロセス６００は、例えば、図３に示されるメディアプレゼンテーションモジュール３０４に関連する処理および／または図２に示されるメディアプロセッサ２０６によって実行される処理である。
【００５２】
メディアプレゼンテーションプロセス６００は、メディアカードが存在するかを決定する判定６０２で始まる。ここで、メディアカードは、図１に示されるディジタルメディアビューア１０２のようなディジタルメディアビューアによって表示されるべきイメージファイルを記憶すると想定される。したがって、メディアカードは、ディジタルメディアビューアによって提示される（例えば表示される）べき、メディアアイテム（例えばイメージ）についてのメディアファイルを記憶すると想定される。
【００５３】
判定６０２が、メディアカードが存在すると決定するとき、コンフィギュレーション設定が読み出される（６０４）。コンフィギュレーション設定は、メディアプレゼンテーションプロセス６００を実行しているディジタルメディアビューアに関連付けられている。コンフィギュレーション設定は、例えば、メディアカードに記憶されたメディアアイテム（例えばイメージ）が提示（すなわち表示）されるべき順番、シーケンシング、およびやり方を示しえる。次に、コンフィギュレーション設定に従って、１つ以上のメディアアイテムが１人以上のユーザに提示される（６０６）。
【００５４】
判定６０８は、プレゼンテーションが自動または手動であるかを決定する。判定６０８が、プレゼンテーションが自動であると決定するとき、メディアプレゼンテーションプロセス６００は、メディアアイテムのシーケンシング（例えばスライドショウ）がユーザの介在なしに自動的に達成されるようブロック６０６を繰り返すために戻りえる。一方、判定６０８が、プレゼンテーションが自動ではないと決定するとき、判定６１０は、ユーザコマンドが受け取られたかを決定する。判定６１０が、ユーザコマンドが受け取られていないと決定するとき、メディアプレゼンテーションプロセス６００は、そのようなコマンドを待つ。代替として、判定６１０が、ユーザコマンドが受け取られたと決定するとき、ユーザコマンドが処理される（６１２）。ユーザコマンドは、他のメディアアイテムを選択し、または回転、ズーム、消去などのような他の操作を開始しえる。
【００５５】
次に、判定６１４は、メディアプレゼンテーションプロセス６００が停止すべきであるかを決定する。判定６１４が、メディアプレゼンテーションプロセス６００が停止すべきでないと決定するとき、メディアプレゼンテーションプロセス６００は、後のユーザコマンドが受け取られ処理されえるよう判定６１０を繰り返すように戻る。代替として、判定６１４が、メディアプレゼンテーションプロセス６００が停止すべき決定するとき、メディアプレゼンテーションプロセス６００は終了する。
【００５６】
本発明によるディジタルメディアプレーヤーは、リムーバブルデータ記憶カード上に記憶されるオーディオファイル（例えばMP3、WAV、AAC、WMA、OGG、およびMP3 Proのファイ
ル）も再生できる。アーカイブプロセスは、これらのファイルに影響を与えず、それらをアーカイブ記憶デバイスに記憶できる。さらに、オーディオファイルは、メディアアイテムがユーザに提示（例えば表示）されているあいだに再生されえることが理解されよう。ディジタルメディアプレーヤーは、オーディオ出力のためにそれ自身のスピーカを含みえ、またはテレビのような接続されたメディアデバイスのスピーカを利用できる。オーディオファイルは、それらを一度再生した後は、次から次へと連続ループで再生されえる。提示されているメディアアイテム（例えばイメージおよび／またはビデオ）も、連続ループで再生されえ、または一度再生された後に停止されえる。
【００５７】
ディジタルメディアプレーヤーは、オーディオファイルを個別のイメージに、またはスライドショウにリンクさせることを可能にできる。ユーザは、オンスクリーンユーザインタフェースを介してイメージを選択でき、また同じまたは別のカードから（またはディジタルメディアプレーヤーの組み込まれたメモリから）オーディオファイル（例えば音楽）を選択できる。イメージおよびオーディオファイルの間のリンクがそれから作られえる。その後、ディジタルメディアプレーヤーによってイメージが表示されるとき、オーディオファイルから関連付けられたオーディオが再生開始する。プレーヤー設定で、ユーザは、オーディオの長さのあいだイメージが表示されるかどうか、またはイメージが示されるのと同じ長さだけ、オーディオが再生されるかを選択できる。他のオプションは、オーディオの長さと同じだけ、スライドショウを流すことである（例えばそれぞれのスライドの表示インターバル時間は、オーディオファイルの長さをスライドの個数で割ったものである）。さらにユーザは、プレイリストに入れられるべき一連のオーディオファイルを選択できる。このプレイリストは、スライドショウとリンクされえる。また、ユーザは、どのようにオーディオおよびスライドが同期されるべきかを選択しえる。例えば、それぞれのスライドについての表示インターバル時間は、プレイリストの持続期間をスライドショウ中のスライドの個数で割ったものである。他の例として、表示インターバル時間は、固定されえ、もしプレイリストの持続期間がスライドショウの持続期間より短いなら、プレイリストはループで再生しえる。さらに別の例では、スライドショウのそれぞれのスライドは、オーディオファイルの持続期間のあいだ表示されたままでありえる。
【００５８】
ある実施形態において、オーディオファイルは、イメージまたはスライドショウとフォルダ単位でリンクされえる。例えば、もしメモリカードがイメージおよび１つ以上のオーディオファイルを含むフォルダを記憶するなら、イメージが表示されるか、またはスライドショウが開始されるとき、ディジタルメディアプレーヤーは、対応するオーディオファイルがないかそのフォルダをチェックできる。もし１つ以上のオーディオファイルが検出されるなら、イメージが表示されるか、またはスライドショウが再生されているあいだ、それらが再生されえる。オーディオファイル（群）は、上述のようにさまざまなオプション、例えばユーザ設定に従って再生されえる。オーディオファイルの再生順序も、ユーザによって決定されえ、記憶された順序によって決定されえ（例えばアルファベット順に）、ランダム、またはリピートでありえる。他の実施形態において、ディジタルメディアプレーヤーは、イメージが表示されるか、またはスライドショウが開始するときに、オーディオファイルについての指定されたカードスロットをチェックするようにコンフィギュレーションがなされえる。
【００５９】
ディジタルメディアプレーヤーが有しえるさらに他の特徴は、ディジタルメディアプレーヤーまたはリモートコントローラ上の「ＲＥＣＯＲＤ」ボタンである。ユーザが「ＲＥＣＯＲＤ」ボタンを押し、メディアプレーヤーデバイスに一体化されたマイクに話すとき、オーディオファイルが作られ、挿入されたカードまたは組み込まれたメモリに記憶される。この点で、ユーザは、イメージに関するコメントを録音できる。音楽の場合のように、これらのオーディオファイルは、イメージまたはスライドショウにリンクされえる。
【００６０】
本発明の優位性は多くある。異なる実施形態または実現例は、以下の優位性のうちの１つ以上を生じえる。本発明のある優位性は、ディジタルメディアがテレビのような出力デバイスによって容易に便利に表示されえることである。本発明の他の優位性は、より多くの相当数のメディアアイテム（例えば写真）がメモリカードに記憶されえることである。
【００６１】
本発明の多くの特徴および優位性は、記載された説明から明らかであり、よって添付の特許請求の範囲は、そのような本発明の全ての特徴および優位性をカバーするものと意図される。さらに、多くの改変および変更が当業者には容易に行われえるので、本発明は図示および説明されたのと同じ構成および操作に限定されるべきではない。したがって、全ての適切な改変および等価物は、本発明の範囲内に入るべきものと解されえる。
【図面の簡単な説明】
【００６２】
【図１】本発明のある実施形態によるメディアプレゼンテーションシステムの概略図。
【図２】本発明のある実施形態によるディジタルメディアビューアのブロック図。
【図３】本発明のある実施形態によるプログラムコードのモジュールを示す図。
【図４Ａ】本発明のある実施形態による解像度低減プロセスのフロー図。
【図４Ｂ】本発明のある実施形態による他の解像度低減プロセスのデータフロー図。
【図５】本発明のある実施形態によるイメージアーカイブプロセスのフロー図。
【図６】本発明のある実施形態によるメディアプレゼンテーションプロセスのフロー図。
【図１】
2007518309.tif 000003
【図２】
2007518309.tif 000004
【図３】
2007518309.tif 000005
【図４Ａ】
2007518309.tif 000006
【図４Ｂ】
2007518309.tif 000007
【図５】
2007518309.tif 000008
【図６】
2007518309.tif 000009
【国際調査報告】
2007518309.tif 000010
2007518309.tif 000011
2007518309.tif 000012